(57)【特許請求の範囲】
【請求項１】
受信信号に乗算するレプリカ拡散符号を出力する符号レプリカ発生器と、
受信信号とレプリカ拡散符号とを乗算した逆拡散値に基づいて相関電力値とその同期位置とを演算する相関演算器と、
前記相関演算器からの前記相関電力値と前記同期位置とに基づいて、閾値以上の相関電力値を同期位置候補として決定するサーチャーと、
前記サーチャーからの前記同期位置候補と前記同期位置とに基づいて拡散符号を出力する符号発生器と、
前記符号発生器からの拡散符号と受信信号とを乗算して受信信号の逆拡散値を出力する相関器と、
前記相関器からの前記逆拡散値を復号し、復号して得られたデータのデータ誤り率を演算して出力する復号部と、
基地局における同期捕捉動作を制御する制御部と、を備え、
前記制御部は、
受信信号の総受信電力量に基づいて、前記閾値を設定する相関閾値設定手段と、
前記サーチャーを監視して前記サーチャーが所定時間内に前記同期位置候補を決定できないとき前記閾値の設定をやり直す相関閾値変更手段と、
前記復号部からデータ誤り率が所定時間内に所定値に到達しないとき、前記サーチャーを制御して前記同期位置候補を変更させる同期位置候補変更手段と、
を備えることを特徴とする基地局。
【請求項２】
受信信号に乗算するレプリカ拡散符号を出力する符号レプリカ発生器と、
受信信号とレプリカ拡散符号とを乗算した逆拡散値に基づいて相関電力値とその同期位置とを演算する相関演算器と、
前記相関演算器からの前記相関電力値と前記同期位置とに基づいて、閾値以上の相関電力値を同期位置候補として決定するサーチャーと、
前記サーチャーからの前記同期位置候補と前記同期位置とに基づいて拡散符号を出力する符号発生器と、
前記符号発生器からの拡散符号と受信信号とを乗算して受信信号の逆拡散値を出力する相関器と、
前記相関器からの前記逆拡散値を復号し、復号して得られたデータのデータ誤り率を演算して出力する復号部と、
基地局における同期捕捉動作を制御する制御部と、を備え、
前記制御部は、
受信信号の総受信電力量に基づいて、前記閾値を設定する相関閾値設定手段と、
前記サーチャーを監視して前記サーチャーが所定時間内に前記同期位置候補を決定できないとき前記閾値の設定をやり直す相関閾値変更手段と、
前記復号部からデータ誤り率が所定時間内に所定値に到達しないとき、前記閾値に所定値を加算する相関閾値調整手段と、
を備えることを特徴とする基地局。
【請求項３】
請求項１又は請求項２に記載の基地局において、
前記制御部は、
前記受信信号の総受信電力量に対応する前記閾値の値が予め設定された変換テーブルを保持していることを特徴とする基地局。
【請求項４】
請求項３に記載の基地局において、
前記制御部は、
前記変換テーブルに設定された前記閾値の値を同期捕捉が成功した時の閾値に基づいて書き換える、変換テーブル書き換え手段を備えることを特徴とする基地局。
【請求項５】
受信信号に乗算するレプリカ拡散符号を出力する符号レプリカ発生器と、受信信号とレプリカ拡散符号とを乗算した逆拡散値に基づいて相関電力値とその同期位置とを演算する相関演算器と、前記相関演算器からの前記相関電力値と前記同期位置とに基づいて、閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備える基地局の制御方法であって、
前記制御部は、
受信信号の総受信電力量に基づいて、前記閾値を設定する相関閾値設定工程と、
前記サーチャーを監視して前記サーチャーが所定時間内に前記同期位置候補を決定できないとき前記閾値の設定をやり直す相関閾値変更工程と、
前記復号部からデータ誤り率が所定時間内に所定値に到達しないとき、前記サーチャーを制御して前記同期位置候補を変更させる同期位置候補変更工程と、
を備えることを特徴とする基地局の制御方法。
【請求項６】
受信信号に乗算するレプリカ拡散符号を出力する符号レプリカ発生器と、受信信号とレプリカ拡散符号とを乗算した逆拡散値に基づいて相関電力値とその同期位置とを演算する相関演算器と、前記相関演算器からの前記相関電力値と前記同期位置とに基づいて、閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備える基地局の制御方法であって、
前記制御部は、
受信信号の総受信電力量に基づいて、前記閾値を設定する相関閾値設定工程と、
前記サーチャーを監視して前記サーチャーが所定時間内に前記同期位置候補を決定できないとき前記閾値の設定をやり直す相関閾値変更工程と、
前記復号部からデータ誤り率が所定時間内に所定値に到達しないとき、前記閾値に所定値を加算する相関閾値調整工程と、
を備えることを特徴とする基地局の制御方法。
【発明の詳細な説明】
【０００１】
【発明の属する技術分野】
本発明はＣＤＭＡセルラシステムの基地局における初期同期捕捉方式に関する。
【０００２】
【従来の技術】
ＣＤＭＡセルラシステムでは基地局と複数の移動局が同一の周波数帯を用いて通信を行っている。各移動局の識別は移動局毎に定められている拡散符号によってなされる。従って基地局は、各移動局から受け入れた多重化された受信信号を上記移動局毎に定められている拡散符号を用いて逆拡散処理して分離する必要がある。この逆拡散処理では、受信信号と、拡散符号レプリカとの相関検出処理が最も重要な処理になる。この相関検出処理は、同期捕捉位相範囲内の各位相で、相関器で算出された相関演算結果を所定の閾値と比較し、閾値を超えた中で最も相関電力値が大きいものを同期位置候補として選択することによって行われる。ここで使用される閾値は、通常予め設定されたものを使用している。
【０００３】
【発明が解決しようとする課題】
しかし、従来予め設定された閾値が使用されていたため以下に記すような解決すべき課題が残されていた。
１．ノイズフロアーが高い時、間違った位置を同期位置候補としてしまうため移動局からの送信波を取り損なう確率が高くなる。その結果移動局との接続率が低下する。
２．上記弊害を避けるため相関閾値を高く設定すると移動局に、必要以上の送信電力を要求することになり、上り無線回線リソースの有効活用が困難になる。
【０００４】
【課題を解決するための手段】
本発明は以上の点を解決するため次の構成を採用する。
〈構成１〉
受信信号に乗算するレプリカ拡散符号を出力する符号レプリカ発生器と、受信信号とレプリカ拡散符号とを乗算した逆拡散値に基づいて相関電力値とその同期位置を演算する相関演算器と、前記相関演算器からの前記相関電力値と前記同期位置とに基づいて閾値以上の相関電力値を同期位置候補として決定するサーチャーと、前記サーチャーからの前記同期位置候補と前記同期位置とに基づいて拡散符号を出力する符号発生器と、前記符号発生器からの拡散符号と受信信号とを乗算して受信信号の逆拡散値を出力する相関器と、前記相関器からの前記逆拡散値を復号し、復号して得られたデータのデータ誤り率を演算して出力する復号部と、基地局における同期捕捉動作を制御する制御部とを備え、前記制御部は、受信信号の総受信電力量に基づいて、前記閾値を設定する相関閾値設定手段と、前記サーチャーを監視して前記サーチャーが所定時間内に前記同期位置候補を決定できないとき前記閾値の設定をやり直す相関閾値変更手段と、前記復号部からデータ誤り率が所定時間内に所定値に到達しないとき、前記サーチャーを制御して前記同期位置候補を変更させる同期位置候補変更手段とを備えることを特徴とする基地局。
【０００５】
〈構成２〉
上記構成１に記載の基地局の同期位置候補変更手段に換えて、前記復号部のデータ誤り率が所定時間内に所定値に到達しないとき前記閾値に所定値を加算する相関閾値調整手段を備えることを特徴とする基地局。
【０００６】
〈構成３〉
上記構成１又は上記構成２に記載の基地局において、前記制御部は、前記受信信号の総受信電力量に対応する前記閾値の値が予め設定された変換テーブルを所持していることを特徴とする基地局。
【０００７】
〈構成４〉
上記構成３に記載の基地局において、前記制御部は、前記変換テーブルに設定された前記閾値の値を同期捕捉が成功したときの閾値に基づいて書き換える、変換テーブル書き換え手段を備えることを特徴とする基地局。
【０００８】
【発明の実施の形態】
以下、本発明の実施の形態を具体例を用いて説明する。
〈具体例１の構成〉
図１は、具体例１のブロック図である。
図１より、具体例１のＣＤＭＡ基地局における初期同期捕捉方式は、アンテナ１と、無線機２と、Ａ／Ｄ（アナログ／ディジタル）変換器３と、符号レプリカ発生器４と、乗算器５と、相関演算器６と、サーチャー７と、符号発生器８と、相関器９と、レーク（ＲＡＫＥ）合成器１０、復号部１１と、制御部１２と、によって構成される。
【０００９】
アンテナ１は、無線回線から電磁波を受け入れて高周波の受信信号に変換する部分である。
無線機２は、アンテナ１から高周波の受信信号を受け入れてベースバンドの受信信号に変換する部分である。
Ａ／Ｄ（アナログ／ディジタル）変換器３は、無線機２からベースバンドに変換された受信信号を受け入れてディジタル信号に変換して、ディジタル受信信号を出力する部分である。
【００１０】
符号レプリカ発生器４は、後に記すサーチャー７から拡散符号情報を受け入れてレプリカ拡散符号を出力する部分である。このレプリカ拡散符号の位相を変化させながら後に記す相関演算器６と一体になって相関電力値とその同期位置を演算する部分である。
乗算器５は、上記Ａ／Ｄ変換器３から上記ディジタル受信信号を受け入れて、上記符号レプリカ発生器４から受け入れたレプリカ拡散符号とを乗算して逆拡散値を出力する部分である。
【００１１】
相関演算器６は、上記乗算器５から逆拡散値を受け入れて上記符号レプリカ発生器４と一体になって相関電力値と同期位置を演算する部分である。
サーチャー７は、上記符号レプリカ発生器４に拡散符号情報とその位相情報を送り、上記相関演算器６から相関電力値とその同期位置を受け入れて所定の閾値以上の相関電力値を同期位置候補と決定する部分である。
【００１２】
符号発生器８は、上記サーチャー７から同期位置候補とその同期位置を受け入れて拡散符号を出力する部分である。
相関器９は、上記符号発生器８から受け入れた拡散符号と、上記Ａ／Ｄ変換器３から受け入れた上記ディジタル受信信号とを乗算して逆拡散値を出力する部分である。
上記、符号発生器８と相関器９は、通常複数個配置される。
【００１３】
レーク（ＲＡＫＥ）合成器１０は、上記複数個の相関器９から逆拡散値を受け入れてレーク受信する部分である。
復号部１１は、レーク（ＲＡＫＥ）合成器１０からレーク受信された逆拡散値を受け入れて、復号化した受信データを出力するとともに、無線フレーム毎にその受信データのデータ誤り率を演算して出力する部分である。
【００１４】
制御部１２は、復号部１１から受信データのデータ誤り率を受け入れて基地局における初期同期捕捉動作を制御する部分である。尚、この制御部１２はＡ／Ｄ変換器３からディジタル受信信号の総受信電力値Ｅ０を検出して、この検出結果に基づいてサーチャー７が同期位置候補を検出する際に必要とする初期相関閾値Ｔを設定する初期相関閾値設定手段と、サーチャー７を監視してサーチャー７が所定の時間内に同期位置候補を検出できないとき初期相関閾値Ｔの設定をやり直す相関閾値変更手段と、復号部１１からデータ誤り率を受け入れて所定の時間に所定の値に到達できない場合にサーチャー７を制御して同期位置候補を変更させる同期位置候補変更手段と、を備える部分である。これらの手段については以下に記す動作説明の中で詳細に説明する。
【００１５】
〈具体例１の動作〉
最初に本発明のＣＤＭＡ基地局における初期同期捕捉方式の基本原理について図を用いて説明する。
図２は、本発明の基本原理説明図である。
（ａ）は、ノイズフロアーが高い場合の初期相関閾値を表している。
（ｂ）は、ノイズフロアーが低い場合の初期相関閾値を表している。
【００１６】
（ａ）より、ノイズフロアー２２のレベルを現在基地局が受信している総受信電力値Ｅ０と推定する。この総受信電力値Ｅ０にプラスαしたレベルを初期相関閾値Ｔ２３に設定する。このプラスαは、予め実測値等から設定され、その値は、制御部１２（図１）が所持する変換テーブルに格納されている。
ここで留意すべき事項は以下の通りである。
初期相関閾値Ｔが不適切な閾値２４であったとすると移動局の送信パワー２１とノイズとの識別が困難になり同期位置候補の選定が困難になる。
【００１７】
（ｂ）より、ノイズフロアー２２のレベルが低い場合に上記（ａ）と同じレベルに初期相関閾値Ｔ２３を設定すると、過剰パワー２５が大きくなり無線回線リソースの有効活用が困難になる。
そこで、具体例１では、同期捕捉動作の最初にノイズフロアー（総電力値Ｅ）に基づいて適切な初期相関閾値Ｔを設定する事から動作を開始する。以下にその動作を詳細に説明する。
【００１８】
図３は、具体例１の動作説明図である。
図は、具体例１のＣＤＭＡ基地局における初期同期捕捉方式の動作をフローチャートを用いて表している。
以下に、フローチャートのステップＳ１〜ステップＳ１２に従って具体例１のＣＤＭＡ基地局における初期同期捕捉方式の動作を説明する。
【００１９】
ステップＳ１
基地局が、初期同期捕捉を開始する。
ステップＳ２
制御部１２（図１）は、現在基地局が受信している総受信電力値Ｅ０をＡ／Ｄ変換器３（図１）から読み出す。
【００２０】
ステップＳ３
制御部１２（図１）は、読み出した総受信電力値Ｅ０から初期相関閾値Ｔを決定する。決定に当たっては、総受信電力値Ｅ０から、制御部１２（図１）が所持するメモリに格納されている変換テーブルに基づいて決定される。総受信電力値Ｅ０は、ノイズフロアーのレベルとして扱われる。初期相関閾値Ｔは、ノイズフロアーのレベルに対して適切なレベルに設定される。即ち、移動局からの受信信号を取りこぼさないような値に設定される。
上記ステップＳ２とステップＳ３を制御部１２（図１）の初期相関閾値決定手段と定義する。
【００２１】
ステップＳ４
制御部１２（図１）は、決定した初期相関閾値Ｔをサーチャー７へ指示する。
ステップＳ５
制御部１２（図１）は、サーチャー７に同期捕捉の開始を指示する。
【００２２】
ステップＳ６
制御部１２（図１）は、サーチャー７（図１）からの同期捕捉完了報告を待って、報告がない場合はステップＳ７へ進み、報告があるまで所定の時間（ｎ秒間）ステップＳ６とステップＳ７を繰り返す。報告があった場合はステップＳ８へ飛ぶ。
ステップＳ７
制御部１２（図１）は、報告タイマを起動して所定の時間（ｎ秒間）内に報告がない場合（タイマタイムアウト）にはステップＳ１１へ抜けて、再度ステップＳ１からやり直す。
上記ステップＳ６、ステップＳ７、ステップＳ１１を制御部１２（図１）の相関閾値変更手段と定義する。
【００２３】
ステップＳ８
制御部１２（図１）は、復号部１１（図１）から報告されるデータ誤り率（ＣＲＣ）の監視を行う。
ステップＳ９
制御部１２（図１）は、データ誤り率（ＣＲＣ）を監視して正しい同期位置で同期確保が行えたことを確認できた場合にはステップＳ１２へ進んで同期捕捉を完了するが、データ誤り率（ＣＲＣ）から同期位置での同期確保が行えたことを確認できない場合、即ちデータ誤り率（ＣＲＣ）が所定の値を達成できない場合にはステップＳ１０へ進む。
【００２４】
ステップＳ１０
制御部１２（図１）は、タイマを起動して所定の時間（ｍ秒間）内にデータ誤り率（ＣＲＣ）から正しい同期位置で同期確保が行えたことを確認できない場合には、タイマタイムアウトになるまでステップＳ８へ戻ってタイマタイムアウトになるまでステップＳ８〜ステップＳ１０を繰り返す。
又、ここでタイマタイムアウトした場合にはステップＳ５へ戻ってサーチャー７（図１）に同期捕捉を再度指示する。但し、ここでの同期捕捉では初期相関閾値Ｔの変更はされない。
【００２５】
途中ステップＳ７で上記と同様に報告タイマを起動して所定の時間（ｎ秒間）内に報告がない場合（タイマタイムアウト）にはステップＳ１１へ抜ける。
上記ステップＳ８、ステップＳ９、ステップＳ１０、を制御部１２（図１）の同期位置候補変更手段と定義する。
【００２６】
ステップＳ１１
制御部１２（図１）は、所定の時間（ｎ秒間）内にデータ誤り率（ＣＲＣ）が所定の値を達成できないので同期捕捉が失敗したと判断してステップＳ１へ戻って再度同期捕捉をやり直す。即ち、ここでは初期相関閾値Ｔも再設定されることになる。
上記動作を繰り返す中でステップＳ９で制御部１２は、復号部１１（図１）から所定のデータ誤り率（ＣＲＣ）が報告され正しい同期位置で同期確保が行えたことを確認できた場合にはステップＳ１２へ進んで同期捕捉を完了する。
ステップＳ１２
同期捕捉を完了する。
【００２７】
〈具体例１の効果〉
以上説明した構成と動作によって具体例１のＣＤＭＡ基地局における初期同期捕捉方式は以下の効果を得る。
１．ノイズフロアーが高い場合であっても、ノイズフロアーに基づいて相関閾値を設定するため、間違った位置を同期位置候補としてしまう確率が減少し移動局からの信号を捕捉できる確率が高くなる。
２．またノイズフロアーが低い場合には、ノイズフロアーに基づいて相関閾値を設定するため、移動局に必要最低限の送信電力を要求することになり、上り無線回線リソースの有効活用が可能になる。
【００２８】
〈具体例２〉
具体例２のＣＤＭＡ基地局における初期同期捕捉方式の構成は具体例１と同様なので説明を割愛し、その動作のみについて説明する。
図４は、具体例２の動作説明図である。
図は、具体例２のＣＤＭＡ基地局における初期同期捕捉方式の動作をフローチャートを用いて表している。
【００２９】
具体例２のＣＤＭＡ基地局における初期同期捕捉方式では、制御部（図１）がデータ誤り率（ＣＲＣ）を監視して誤った同期位置で同期確保を行ったと判断したとき初期相関閾値Ｔに予め定められた値βだけ加算した値（Ｔ＝Ｔ＋β）を新しい相関閾値としてサーチャー７（図１）に指示し、その後再同期捕捉指示をサーチャー７（図１）に指示する。以下にその動作の詳細について説明する。
【００３０】
ステップＳ１
基地局が、初期同期捕捉を開始する。
ステップＳ２
制御部１２（図１）は、現在基地局が受信している総受信電力値Ｅ０をＡ／Ｄ変換器３（図１）から読み出す。
【００３１】
ステップＳ３
制御部１２（図１）は、読み出した総受信電力値Ｅ０から初期相関閾値Ｔを決定する。決定に当たっては、Ａ／Ｄ変換器３（図１）から読み出された総受信電力値Ｅ０から制御部１２（図１）が所持するメモリに格納されている変換テーブルに基づいて決定される。総受信電力値Ｅ０は、ノイズフロアーのレベルとして扱われる。初期相関閾値Ｔは、ノイズフロアーのレベルに対して適切なレベルに設定される。即ち、移動局からの送信波を取りこぼさないような値に設定される。
上記ステップＳ２とステップＳ３を制御部１２（図１）の初期相関閾値決定手段と定義する。
【００３２】
ステップＳ４
制御部１２（図１）は、決定した初期相関閾値Ｔをサーチャー７へ通知する。
ステップＳ５
制御部１２（図１）は、サーチャー７に同期捕捉の開始を指示する。
【００３３】
ステップＳ６
制御部１２（図１）は、サーチャー７（図１）からの同期捕捉完了報告を待って、報告がない場合はステップＳ７へ進み、報告があるまで所定の時間（ｎ秒間）ステップＳ６とステップＳ７を繰り返す。報告があった場合はステップＳ８へ飛ぶ。
ステップＳ７
制御部１２（図１）は、報告タイマを起動して所定の時間（ｎ秒間）内に報告がない場合（タイマタイムアウト）にはステップＳ１１へ抜けて再度ステップＳ１からやり直す。
上記ステップＳ６、ステップＳ７、ステップＳ１１を制御部１２（図１）の相関閾値変更手段と定義する。
【００３４】
ステップＳ８
制御部１２（図１）は、復号部１１（図１）から報告されるデータ誤り率（ＣＲＣ）の監視を行う。
ステップＳ９
制御部１２（図１）は、復号部１１（図１）から所定のデータ誤り率（ＣＲＣ）が報告され正しい同期位置で同期確保が行えたことを確認できた時はステップＳ１２へ進んで同期捕捉を完了するが、データ誤り率（ＣＲＣ）から同期位置での同期確保が行えたことを確認できない場合、即ちデータ誤り率（ＣＲＣ）が所定の値を達成できない場合にはステップＳ１０へ進む。
【００３５】
ステップＳ１０
制御部１２（図１）は、タイマを起動して所定の時間（ｍ秒間）内にデータ誤り率（ＣＲＣ）から正しい同期位置で同期確保が行えたことを確認できない場合には、タイマタイムアウトになるまでステップＳ８へ戻ってステップＳ８〜ステップＳ１０を繰り返す。
又、ここでタイマタイムアウトした場合にはステップＳ１３へ進む。
上記ステップＳ８、ステップＳ９、ステップＳ１０、を同期位置候補変更手段と定義する。
【００３６】
ステップＳ１３
制御部１２（図１）は、ステップＳ８で誤った同期位置で同期確保を行ったとみなした時初期相関閾値Ｔに予め定められた値βだけ上げた値Ｔ＝Ｔ＋βを新しい相関閾値と決定してサーチャー７（図１）に通知し、ステップＳ４へ戻る。ここでの初期相関閾値ＴはＴ＋βとなる。
途中ステップＳ７で上記と同様に報告タイマを起動して所定の時間（ｎ秒間）内に報告がない場合（タイマタイムアウト）にはステップＳ１１へ抜ける。
【００３７】
ステップＳ１１
制御部１２（図１）は、所定の時間（ｎ秒間）内に報告がないので同期捕捉が失敗したと判断してステップＳ１へ戻って再度同期捕捉をやり直す。即ち、ここでは初期相関閾値Ｔも再設定されることになる。
上記動作を繰り返す中でステップＳ９で制御部１２は、復号部１１（図１）からデータ誤り率（ＣＲＣ）が報告され正しい同期位置で同期確保が行えたことを確認できた時はステップＳ１２へ進んで同期捕捉を完了する。
【００３８】
ステップＳ１２
制御部１２（図１）は、同期捕捉を完了する。
【００３９】
〈具体例２の効果〉
以上説明した構成と動作によって具体例２のＣＤＭＡ基地局における初期同期捕捉方式は以下の効果を得る。
１．同期捕捉中にノイズフロアーが変動しても、変動後のノイズフロアーに基づいて相関閾値を設定するため間違った位置を同期位置候補としてしまう確率が減少し移動局からの信号を捕捉できる確率が高くなる。
２．またノイズフロアーが低い場合には、変動後のノイズフロアーに基づいて相関閾値を設定するため移動局に必要最低限の送信電力を要求することになるため上り無線回線リソースの有効活用が可能になる。
【００４０】
〈具体例３〉
具体例３のＣＤＭＡ基地局における初期同期捕捉方式の構成は具体例１と同様なので説明を割愛し、その動作のみについて説明する。
図５は、具体例３の動作説明図（その１）である。
図６は、具体例３の動作説明図（その２）である。
図は、具体例３のＣＤＭＡ基地局における初期同期捕捉方式の動作をフローチャートを用いて表している。
図６において（ａ）は、図５に繋がる相関閾値調整動作を表しており、（ｂ）は変換テーブルを表している。
【００４１】
上記、具体例１と具体例２では総受信電力値Ｅ０から初期相関閾値Ｔを決定する際に用いる変換テーブルは固定されていた。従って、時間的に長い無線回線において変換テーブルの内容が最適でなくなる場合も想定される。かかる場合に具体例３では初期同期捕捉が成功した時の相関閾値を上記変換テーブルに反映させる方法を採用する。以下にその動作の詳細について説明する。
【００４２】
ステップＳ１
基地局が、初期同期捕捉を開始する。
ステップＳ２
制御部１２（図１）は、現在基地局が受信している総受信電力値Ｅ０をＡ／Ｄ変換器３（図１）から読み出す。
ステップＳ３
制御部１２（図１）は、読み出した総受信電力値Ｅ０から初期相関閾値Ｔを決定する。決定に当たっては、総受信電力値Ｅ０から制御部１２（図１）が所持するメモリに格納されている変換テーブルに基づいて決定される。総受信電力値Ｅ０は、ノイズフロアーのレベルとして扱われる。初期相関閾値Ｔは、ノイズフロアーのレベルに対して適切なレベルに設定される。即ち、移動局からの送信波を取りこぼさないような値に設定される。
上記ステップＳ２とステップＳ３を制御部１２（図１）の初期相関閾値決定手段と定義する。
【００４３】
ステップＳ４
制御部１２（図１）は、決定した初期相関閾値Ｔをサーチャー７へ指示する。
ステップＳ５
制御部１２（図１）は、サーチャー７に同期捕捉の開始を指示する。
【００４４】
ステップＳ６
制御部１２（図１）は、サーチャー７（図１）からの同期捕捉完了報告を待って、報告がない場合はステップＳ７へ進み、報告があるまで所定の時間（ｎ秒間）ステップＳ６とステップＳ７を繰り返す。報告があった場合はステップＳ８へ飛ぶ。
ステップＳ７
制御部１２（図１）は、報告タイマを起動して所定の時間（ｎ秒間）内に報告がない場合（タイマタイムアウト）にはステップＳ１２へ抜ける。
上記ステップＳ６、ステップＳ７、ステップＳ１２を制御部１２（図１）の相関閾値変更手段と定義する。
【００４５】
ステップＳ８
制御部１２（図１）は、復号部１１（図１）から報告されるデータ誤り率（ＣＲＣ）の監視を行う。
ステップＳ９
制御部１２（図１）は、復号部１１（図１）から所定のデータ誤り率（ＣＲＣ）が報告され正しい同期位置で同期確保が行えたことを確認できた時はステップＳ１３へ進んで変換テーブルの書き換えを行うが、データ誤り率（ＣＲＣ）から同期位置での同期確保が行えたことを確認できない場合、即ち所定のデータ誤り率（ＣＲＣ）が報告されない場合にはステップＳ１０へ進む。
上記ステップＳ８、ステップＳ９、ステップＳ１０、を同期位置候補変更手段と定義する。
【００４６】
ステップＳ１０
制御部１２（図１）は、タイマを起動して所定の時間（ｍ秒間）内にデータ誤り率（ＣＲＣ）から正しい同期位置で同期確保が行えたことを確認できない場合には、タイマタイムアウトになるまでステップＳ８へ戻ってステップＳ８〜ステップＳ１０を繰り返す。
又、ここでタイマタイムアウトした場合にはステップＳ１２へ進む。
【００４７】
ステップＳ１２
制御部１２（図１）は、ステップＳ８で誤った同期位置で同期確保を行ったとみなした時初期相関閾値Ｔにβだけ上げた値Ｔ＝Ｔ＋βを新しい相関閾値と決定してサーチャー７（図１）に通知し、ステップＳ４へ戻る。ここでの初期相関閾値ＴはＴ＋βとなる。
途中ステップＳ７で上記と同様に報告タイマを起動して所定の時間（ｎ秒間）内に報告がない場合（タイマタイムアウト）にはステップＳ１１へ抜ける。
【００４８】
ステップＳ１１
制御部１２（図１）は、所定の時間（ｎ秒間）内にデータ誤り率（ＣＲＣ）が所定の値を達成できないので同期捕捉が失敗したと判断してステップＳ１へ戻って再度同期捕捉をやり直す。即ち、ここでは初期相関閾値Ｔも再設定されることになる。
上記動作を繰り返す中でステップＳ９で制御部１２は、復号部１１（図１）から所定のデータ誤り率（ＣＲＣ）が報告され正しい同期位置で同期確保が行えたことを確認できた時はステップＳ１３へ進む。
【００４９】
ステップＳ１３
制御部１２（図１）は、Ａ／Ｄ変換器３から総受信電力値Ｅ１を測定する。
ステップＳ１４
制御部１２（図１）は、動作の最初（ステップＳ２）で測定した総受信電力値Ｅ０と同期確保完了時に測定した総受信電力値Ｅ１（このときの相関閾値をＴＩとする）が変換テーブル内で同じ条件として扱われるものと判断した場合にはステップＳ１５へ進み、同じ条件として扱われないと判断した場合にはステップＳ１６へ進んで同期捕捉を完了する。この判断手法の概要について図６の（ｂ）を用いて説明する。
【００５０】
（ｂ）より、総受信電力値Ｅｔは、予め定められた段階に（図上ではｉランク）ランク分けされ、このランク分けに対応して初期相関閾値もＴ０〜Ｔｉにランク分けされている。ステップＳ１４での判断は、総受信電力値Ｅ０と総受信電力値Ｅ１を同じランク内に入れても良いかどうかの判断である。即ち、動作の最初（ステップＳ２）で測定した総受信電力値Ｅ０が、Ｅｔ＋Δｉ≦Ｅ０≦Ｅｔ＋Δｉ＋１のとき変換テーブルより初期相関閾値はＴｉになる。この時総受信電力値Ｅ１がＥｔ＋Δｉ≦Ｅ１≦Ｅｔ＋Δｉ＋１を満足すれば総受信電力値Ｅ０と総受信電力値Ｅ１は変換テーブル内で同じ条件として扱われると判断される。同様に、Ｅｔ＋Δｉ≦Ｅ０≦Ｅｔ＋Δｉ＋１のときに、Ｅｔ＋Δｉ≦Ｅ１≦Ｅｔ＋Δｉ＋１が満足されなければ総受信電力値Ｅ０と総受信電力値Ｅ１は変換テーブル内で同じ条件として扱われないと判断される。再度フローチャートに従って動作の説明を続ける。
【００５１】
ステップＳ１５
動作の最初（ステップＳ２）で測定した総受信電力値Ｅ０と同期確保完了時に測定した総受信電力値Ｅ１が変換テーブル内で同じ条件として扱われる値同士である。そこで制御部１２（図１）は、変換テーブル内のＴｉをＴＩで置き換えた後ステップＳ１６へ進んで同期捕捉を終了する。
上記ステップＳ１３、ステップＳ１４、ステップＳ１５を制御部１２（図１）の変換テーブル書き換え手段と定義する。
ステップＳ１６
制御部１２（図１）は、同期捕捉を終了する。
【００５２】
〈具体例３の効果〉
以上説明した構成と動作によって具体例２のＣＤＭＡ基地局における初期同期捕捉方式は以下の効果を得る。
１．比較的長い時間軸における（瞬時的変化でない）無線回線条件の変化が発生しても自動的に変換テーブルを更新し、常に最適なパラメータを使用することができるため、初期同期捕捉率が高いレベルに安定する。
２．変換テーブル内のパラメータを自動で最適値に調整できるため、比較的長い時間軸における無線回線条件の変化が発生しても、移動局に対し、その時点での必要最低限の送信電力を要求するため、上りの無線回線リソースの有効活用が可能になる。
【図面の簡単な説明】
【図１】具体例１の構成のブロック図である。
【図２】本発明の基本原理説明図である。
【図３】具体例１の動作説明図である。
【図４】具体例２の動作説明図である。
【図５】具体例３の動作説明図（その１）である。
【図６】具体例３の動作説明図（その２）である。
【符号の説明】
１  アンテナ
２  無線機
３  Ａ／Ｄ変換器
４  符号レプリカ発生器
５  乗算器
６  相関演算器
７  サーチャー
８  符号発生器
９  相関器
１０  レーク合成器
１１  復号部
【図１】
0004438037.tif 000002
【図２】
0004438037.tif 000003
【図３】
0004438037.tif 000004
【図４】
0004438037.tif 000005
【図５】
0004438037.tif 000006
【図６】
0004438037.tif 000007